(57)【要約】  本発明は、飲物及び食料を保存するために用いられうる保温容器に関する。上記保温容器の壁は、３つの層、すなわち、プロピレン、ポリウレタンフォーム又は発泡スチロールからなる中間層（３）と、外層（２）と、内層（４）とを備えている。上記外層及び内層は、また、外側のボール紙パネル、中間のアルミニウムパネル、及び内側のポリエチレンパネルの形で、３つのパネルを備えている。上記容器は、第一に、如何なる環境下においても、特に、ワインがワイン店から最終消費者へ輸送されている間、ワインの特性を維持することを目的としている。
2011510875.tif 000002
【特許請求の範囲】
【請求項１】
飲料及び食料に適した保温容器であって、
上記保温容器の壁は、
プロピレン、ポリウレタンフォーム及び発泡スチロールから選択された材料からなる中間層（３）と、
外側のボール紙パネル、中間のアルミニウムパネル、及び内側のポリエチレンパネルの３つのパネルによって共に構成される外層（２）及び内層（４）と
の３つの層を備える
ことを特徴とする保温容器。
【請求項２】
請求項１に記載の保温容器において、
上記保温容器は、気密封止を有することを特徴とする保温容器。
【請求項３】
請求項２に記載の保温容器において、
上記気密封止は、引き裂くことができることを特徴とする保温容器。
【請求項４】
請求項２または３に記載の保温容器において、
上記気密封止は、少なくとも１つの接着性のストリップを有することを特徴とする保温容器。
【請求項５】
請求項２から４のいずれか一つに記載の保温容器において、
上記保温容器は、上記気密封止を解除した後に、上記保温容器を密封するための、密封用の接着性のストリップ（６）を有することを特徴とする保温容器。
【請求項６】
請求項１に記載の保温容器において、
長方形角柱体（１）によって構成され、
上記長方形角柱体（１）の長手面側部の壁が、ボトル用の長手方向筐体を形成するための折り畳み線（１１）を有するフラップ状の拡張部（８,９及び１０）として、上記長方形角柱体（１）の長手側部から延在していることを特徴とする保温容器。
【請求項７】
請求項６に記載の保温容器において、
上記下側のフラップ（８）における上記折り畳み線(１１)は、中央の長手方向筐体によって分けられている、２つの下側の長手方向側部筐体を形成するため、Ｃ字状に折り畳まれる３つのセクション（８ａ）を区画し、
上記上側のフラップ（９）の１つにおける上記折り畳み線(１１)は、上側の長手方向側部筐体を形成するため、Ｌ字状に折り畳まれる２つのセクション（９ａ）を区画し、
上記もう一つの上側のフラップ（１０）における上記折り畳み線(１１)は、上側の長手方向筐体と、もう一つの上側中央における長手方向筐体とを形成するため、Ｓ字状に折り畳まれる３つのセクション（１０ａ）を区画することを特徴とする保温容器。
【請求項８】
請求項６に記載の保温容器において、
上記保温容器は、下側の壁、横側の壁及び上側の壁に結合されているストリップ（１３）により構成されているハンドル（１２）を有し、
上記ハンドル（１２）の中央部は、上記ハンドル（１２）を掴むことができるように少なくとも分離されていることを特徴とする保温容器。
【請求項９】
請求項１に記載の保温容器において、
上記保温容器の少なくとも１つの壁には、支持及び隔離をするための小さな拡張部（１４）を有することを特徴とする保温容器。
【請求項１０】
請求項１又は２に記載の保温容器において、
上記保温容器は、
下側部分が開口している上側の円筒体（１５）を備え、
上記上側の円筒体（１５）の開口は、外周段違い部（１６）を有し、
上記上側の円筒体（１５）の上側部分は、ボトルの収容のためにボトルの形状を形成する狭小部を表し、
さらに、上側部分が開口している下側の円筒体（１７）を備え、
上記下側の円筒体（１７）の開口は、取り外し可能な蓋を形成するため、上記上側の円筒体（１５）の上記外周段違い部（１６）に連結される内周段違い部（１８）を含むことを特徴とする保温容器。
【請求項１１】
請求項３に記載の保温容器において、
上記保温容器の内部の空気を変更するための要素の注入を許容する手段を有することを特徴とする保温容器。
【発明の詳細な説明】
【技術分野】
【０００１】
本発明は、この明細書の表題に示すように、保温容器に関する。保温容器は、飲料及び食料の温度を維持するために一般に提供されている。特に、保温容器は、如何なる状態においても、特にワイン店から最終消費者や小売店へワインが輸送される際、ワイン店で得られた特性の大半を失わないようにワインの温度を維持するために設計されている。
【背景技術】
【０００２】
この技術分野では、所望の温度にワインの温度を維持するために提供されているボトル冷蔵庫の使用は公知であり、ワインが正しく保存されることで、ワインの特性は失われない。
【０００３】
しかしながら、ワイン産業には、ワイン店から小売店や消費地へワインを移動するために出荷される輸送中に、上記ワインの温度を維持することができる装置はないので、上記輸送中に、上記ワインはダメージを受け、ワインの品質は失われる。なぜなら、特に高い気温又はその逆の低い気温で輸送されている間に、上記ワインの温度は、かなり変動するからである。
【０００４】
したがって、たとえワインを求める上記店及び／または消費者が、ワインを適切な温度で保存したとしても、ワインの味は、ワインをワイン店で直接消費した場合よりも悪くなる。
【発明の概要】
【０００５】
上述した課題を克服すると共に成し遂げるために、本発明は、新しい保温容器を開発した。上記保温容器の適用は、如何なる環境下においても、上記ワインの輸送が行われる際に、ワインの温度を維持するためであるのが望ましい。しかし、上記保温容器は、如何なるタイプの飲物及び食料の温度を維持するために適用されてもよい。
【０００６】
本発明の上記容器は、上記容器の壁が、３つの層によって構成され、外層及び内層は、同様に、外側のボール紙パネル、中間のアルミニウムパネル、及び内側のポリエチレンパネル、すなわち、テトラブリックとして従来から知られている構成を示す３つのパネルによって構成されている。
【０００７】
加えて、上記容器の壁は、発泡スチロール、プロピレン、又はポリウレタンフォームからなる中間層を含み、高い断熱特性を有する単純な構造が得られる。
【０００８】
このように、例えば、ワインボトルを輸送するために、このワインボトルが上記保温容器内に配置されている場合には、そのことは、上記製品の適切な温度を維持することを許容する。
【０００９】
本発明の上記容器の構造的な特性を補完するために、気密封止を備えることが想定され、この気密封止は、開口するために引き裂くことのできる接着性のストリップにより、好ましくは構成されている。
【００１０】
本発明の上記容器は、さらに、上記気密封止を解除した後に、上記容器を密封するための密封接着性のバンドを備える。上記容器は、連続的に使用することができ、例え上記気密封止をしなくても、上記包装された製品の特性を維持することができる適切な隔離を維持する。
【００１１】
本発明の一実施形態は、上記容器が、長方形角柱体によって構成されていることを想定し、上記容器の長手側部の壁が、ボトル用の長手方向筐体を形成するために、折り畳み線が含まれているフラップ状の拡張部として、上記容器の長手側部から延在している。したがって、この構造は、特に、ボトル入りの飲料、その中でも特にワインを保存するために提供されている。
【００１２】
上記下側のフラップにおける折り畳み線は、中央の長手方向筐体によって分けられている２つの下側の長手方向側部筐体を決めるため、C字状に折り畳まれる３つのセクションを区画する。他方、上記上側のフラップの１つにおける上記折り畳み線は、上側の長手方向側部筐体を形成するため、Ｌ字状に折り畳まれる２つのセクションを区画する。一方、上記もう一つの上側のフラップにおける上記折り畳み線は、上側の長手方向側部筐体と、もう一つの上側中央の長手方向筐体とを形成するため、Ｓ字状に折り畳まれる３つのセクションを確立する。
【００１３】
上述した容器は、硬くて、耐久性のある構造を得るために、上記下側の壁、横側の壁及び上側の壁に固定されているストリップによって構成されるハンドルを備えている。上記ハンドルを構成する上記ストリップは、掴むことができるように、上記上側の壁の中央部分において、上記上側の壁から分離している。
【００１４】
本発明の上記容器は、さらに、上記壁の少なくとも１つに、小さな足のような支持拡張部を取り付けることを想定している。上記拡張部は、また、予想される湿度や、上記容器の温度を変化させうる表面との直接接触から、上記容器を隔離するのにも役立つ。
【００１５】
本発明の他の実施形態は、上記容器が、下側部分が開口している上側の円筒体によって構成されていることを想定している。上記上側の円筒体の開口は、外周段違い部を有し、上記上側の円筒体の上側部分は、ボトルの収容を許容するために、ボトルの形状を形成する狭小部を表している。加えて、上記容器は、上側部分が開口している下側の円筒体を備え、上記下側の円筒体の開口は、簡単かつ単純な方法で、ボトルに取り付けたり、ボトルから取り外したりできる取り外し可能な蓋を形成するために、上記上側の円筒体の上記外周段違い部に連結する内周段違い部を含んでいる。
【００１６】
食料の保存が要求される場合、上記容器は、また、上記容器に収容された上記商品のより良い保存を成し遂げるため、上記容器の内部の雰囲気を変更するための要素を注入するための手段も内蔵している。
【００１７】
次に、この明細書及びこの明細書の不可欠な部分であることをより良く理解するのを容易にするために、本発明の対象が説明に役立つと共に限定しない方法で表された一連の数字が付されている。
【図面の簡単な説明】
【００１８】
【図１】本発明の一実施形態の容器が開封され、この容器に６本のボトルを入れる準備がされていることを示す斜視図である。
【図２】上記ボトルの筐体を形成するフラップ部の３箇所の折り畳みがなされていることを示す、図１と同様の斜視図である。
【図３】上記ボトルの６つの筐体のコンパートメントを形成する全てのフラップ部の折り畳みがなされていることを示す、図１及び２と同様の斜視図である。
【図４】上記容器に収容された上記ボトルの輸送を実行するために閉じられている、図１〜３に示された上記容器の斜視図である。
【図５】上記容器の２つの壁面上にある、上記容器を支持すると共に隔離させるための小さな、足のような拡張部が含まれている、図１〜４と同様の斜視図である。
【図６】上記容器の２つの壁面上にある、上記容器を支持すると共に隔離させるための小さな、足のような拡張部が含まれている、図１〜４と同様の斜視図である。
【図７】本発明の他の実施形態である、一本のボトルを輸送するための形態が示されている斜視図である。
【発明を実施するための形態】
【００１９】
以下、本発明を上述の図面に基づいて詳細に説明する。
【００２０】
本発明の一実施形態によれば、上記容器は、長方形角柱体１によって構成されている。上記容器の壁は、外層２、中間層３及び内層４の３つの層によって構成されている。
【００２１】
上記外層２及び内層４は共に、テトラブリックとして従来から知られている材料によって構成され、このテトラブリックは、外側のボール紙パネル、中間のアルミニウムパネル、及び内側のポリエチレンパネルによって構成されている。上記外層２及び内層４については、説明はなされていない。なぜなら、この技術分野では、外層２及び内層４は、外層２及び内層４の特性と同様に、広く知られているからである。
【００２２】
上記外層２の外側のボール紙パネルは、所望のモチーフでスクリーン印刷されうる。
【００２３】
上記中間層３は、ポリウレタンフォームからなり、このポリウレタンフォームの密度は、所望の隔離の必要性に応じて変更されうる。上記中間層３は、温度変化に対して、高い断熱を示す。なぜなら、上記中間層３は、静止空気がある小細胞構造を有し、上記中間層３の約９８％は空気で、２％は物質である。加えて、上記発泡スチロールは、発泡スチロールの製造のために、HCFC及びHFCガス群による発泡ガスは使用されないという利点を示し、発泡スチロールの製造は、オゾン層にダメージを与えない一方、１００％リサイクル可能である。
【００２４】
上記容器１は、容器１の長手側部の壁７が、フラップ状の拡張部として、容器１の長手側部から拡張するという特殊性を示している。
【００２５】
つまり、上記長手側部の壁７における上記長手側部の下側は、拡張部８として延在し、上記長手側部の上側は、拡張部９及び１０として延在する。
【００２６】
上記下側の拡張部８と上記上側の拡張部９及び１０との両者は、例えば、以下に説明するように、ボトル用の長手方向筐体を形成するために、折り畳み線１１を備えている。
【００２７】
上記下側の拡張部８の上記折り畳み線１１は、C字状に折り畳まれる３つのセクション８ａを区画し、この結果、２つの下側の長手方向側部筐体と、中央部下側の筐体とが得られる。
【００２８】
上記上側の拡張部９のうちの１つの上記折り畳み線１１は、Ｌ字状に折り畳まれる２つのセクションを区画し、上側の長手方向側部筐体が得られる。
【００２９】
他方、上記他の上側の拡張部１０における上記折り畳み線１１は、中央部上側の筐体の底部と共に側部上側の筐体を区画するためにＳ字状に折り畳まれる３つのセクション１０ａを決定する。上記底部は、上記端部の拡張部１０よりも上側の上記セクション１０ａによって具体化される。
【００３０】
従って、上述の構成によって、６本のボトルの筐体は、完全に隔離される他、想定される衝撃からも守られ、その結果、上記ボトルに保存された製品、具体的には、上述したように、主としてワインの完璧な保管を行う。
【００３１】
一旦、上記容器１内に上記ボトルが配置されると、例えば、上記容器の隙間を覆って、糸又はリボンで引き裂くことのできる接着性のストリップによって、上記容器１の気密封止が成される。
【００３２】
上記容器を閉じるものが蓋５に作用し、その後、上記容器の気密封止が成されて、上記容器は密閉される。
【００３３】
上記容器１は、上記気密封止を解除した後に、上記容器１を密封できる接着性のバンド６の接着を想定し、連続的に上記容器の再利用ができ、気密封止をしないにもかかわらず、上記容器に収容されている上記ボトルの良好な隔離を維持する。
【００３４】
さらに、上記壁の外面には、ストリップ１３によって構成されているハンドル１２を備えている。このストリップ１３は、ハンドル１２を掴めるようにするため、上記上側の壁の中央部を除いて、取り付けられている上記下側の壁、側部の壁、上側の壁に沿って配置されている。
【００３５】
保存及び上記ボックスの支持を容易にするため、上記容器の下側の壁及び後側の壁に小さな拡張部１４が取り付けられていて、この小さな拡張部１４によって、如何なる面の上でも、保存したり、配置したりしている間、上記ボックスを支持すると共に隔離することができる。この結果、上記容器は、拡張部１４が含まれている２つの表面のいずれにおいても支持されうる。明らかに、拡張部１４は、上記容器の壁の１つにのみ含まれうる。
【００３６】
本発明の上記容器が、食料の保存について着想されている場合、上記容器内の雰囲気を変更するための要素を注入することができる手段を含むことが想定される。この結果、上記容器に収容されている上記商品のより良い保存が達成される。内部において、輸送される各食料を配置するのに適したトレイが、さらに含まれる。
【００３７】
図７は、他の実施形態の容器を示している。ここで、上記容器は、下側部分が開口した上側の円筒体１５によって構成され、上記上側の円筒体１５の開口は、外周段違い部１６を備えている。上記上側の円筒体１５は、上側の円筒体１５の上側部分でボトルの形状を形成する狭小部を表し、上側の円筒体１５の口を通って上側の円筒体１５内にボトルが導入されることが許容されている。
【００３８】
この場合、上記容器は、さらに、上側部分が開口している下側の円筒体１７を備え、この下側の円筒体１７の開口は、上記上側の円筒体１５の上記外周段違い部１６に連結される内周段違い部１８を含んでいる。そして、上記下側の円筒体１７は、取り外し可能な蓋を決定する上記容器の密封を構成し、上記取り外し可能な蓋は、気密封止を解除できる糸を有する接着性のストリップによって構成されている封止によって、同じように配置されている。
【図１】
2011510875.tif 000003
【図２】
2011510875.tif 000004
【図３】
2011510875.tif 000005
【図４】
2011510875.tif 000006
【図５】
2011510875.tif 000007
【図６】
2011510875.tif 000008
【図７】
2011510875.tif 000009
【国際調査報告】
2011510875.tif 000010
2011510875.tif 000011
2011510875.tif 000012
2011510875.tif 000013
2011510875.tif 000014
2011510875.tif 000015
2011510875.tif 000016
2011510875.tif 000017